(57)【要約】      （修正有）【課題】必要な画像の品質で、且つ、所望のファイルサイズの画像を得る事が可能な画像処理装置、画像処理方法を提供する。【解決手段】条件算出部２０４は、原稿の画像の読み取りが完了すると、読み取られた画像のデータのファイルサイズと、ユーザーにより指定された指定ファイルサイズとに基づいて、当該指定ファイルサイズに対応する画像処理条件を算出する。画像生成部２０５は、画像のデータと、算出された画像処理条件とに基づいて、指定ファイルサイズに近接するファイルサイズを有する複数の候補画像を生成する。候補画像選択部２０６は、複数の候補画像を選択可能に表示して、ユーザーから特定の候補画像の選択を受け付ける。画像保存部２０７は、選択された候補画像を特定のメモリーに保存する。【選択図】図２
2017046132.tif 000002
【特許請求の範囲】
【請求項１】
原稿の画像の読み取りが完了すると、前記読み取られた画像のデータのファイルサイズと、ユーザーにより指定された指定ファイルサイズとに基づいて、当該指定ファイルサイズに対応する画像処理条件を算出する条件算出部と、
前記画像のデータと、前記算出された画像処理条件とに基づいて、前記指定ファイルサイズに近接するファイルサイズを有する複数の候補画像を生成する画像生成部と、
前記複数の候補画像を選択可能に表示して、ユーザーから特定の候補画像の選択を受け付ける候補画像選択部と、
前記選択された候補画像を特定のメモリーに保存する画像保存部と、
を備えることを特徴とする画像処理装置。
【請求項２】
前記原稿の画像の読み取りに関係する設定条件に基づいて、前記画像のデータのサイズを優先させるか否かを判定するサイズ優先判定部を更に備え、
前記条件算出部は、前記画像のデータのサイズを優先させる場合に、前記画像処理条件を算出する
請求項１に記載の画像処理装置。
【請求項３】
前記条件算出部は、前記原稿の画像の読み取りに関係する設定条件に基づいて、指定ファイルサイズキーの指定があるか否かを判定し、前記指定ファイルサイズキーの指定が無い場合、予め登録された登録指定ファイルサイズを指定ファイルサイズとし、前記指定ファイルサイズキーの指定が有る場合、当該キーの指定ファイルサイズを指定ファイルサイズとする
請求項１又は２に記載の画像処理装置。
【請求項４】
前記条件算出部は、前記画像のデータのファイルサイズと、前記指定ファイルサイズとを比較して、前記画像のデータのファイルサイズが前記指定ファイルサイズより小さい場合は、画像処理によりファイルサイズが大きくなる画像処理条件を算出し、前記画像のデータのファイルサイズが前記指定ファイルサイズ以上である場合は、画像処理によりファイルサイズが小さくなる画像処理条件を算出する
請求項１−３のいずれか一項に記載の画像処理装置。
【請求項５】
前記候補画像選択部は、前記原稿の画像の読み取りに関係する設定条件に基づいて、前記複数の候補画像を表示させるか否かを判定し、前記複数の候補画像を表示させる場合、前記複数の候補画像を選択可能に表示し、前記複数の候補画像を表示させない場合、前記複数の候補画像のうち、前記指定ファイルサイズに最も近いファイルサイズを有する最適候補画像を選択する
請求項１−４のいずれか一項に記載の画像処理装置。
【請求項６】
原稿の画像の読み取りが完了すると、前記読み取られた画像のデータのファイルサイズと、ユーザーにより指定された指定ファイルサイズとに基づいて、当該指定ファイルサイズに対応する画像処理条件を算出する条件算出ステップと、
前記画像のデータと、前記算出された画像処理条件とに基づいて、前記指定ファイルサイズに近接するファイルサイズを有する複数の候補画像を生成する画像生成ステップと、
前記複数の候補画像を選択可能に表示して、ユーザーから特定の候補画像の選択を受け付ける候補画像選択ステップと、
前記選択された候補画像を特定のメモリーに保存する画像保存ステップと、
を備えることを特徴とする画像処理方法。
【発明の詳細な説明】
【技術分野】
【０００１】
本発明は、画像処理装置、画像処理方法に関する。
【背景技術】
【０００２】
複写機、複合機等の画像処理装置において、原稿から読み取った画像のサイズを調整する技術が存在する。例えば、特開２００５−２３６６６０号公報（特許文献１）には、解像度と色数とを組み合せた特定の圧縮条件に基づいて、入力された画像データを圧縮することにより、データ量を所望の値にする画像処理装置が開示されている。
【０００３】
又、特開２００３−４６７３４号公報（特許文献２）には、読み取る画像のサイズ、上限のファイルサイズの設定条件に基づいて、読み取った画像データを圧縮し、上限のファイルサイズ以下の画像ファイルを作成する画像読取装置が開示されている。
【０００４】
又、特開２００８−１４７９９６号公報（特許文献３）には、原稿の画像のスキャン時に、画像サイズが優先されている場合に、指定された総データ容量の制限内の画像を出力し、スキャン時間が優先されている場合に、時間内に収まる読み取り速度で画像処理を実行する画像入力装置が開示されている。
【先行技術文献】
【特許文献】
【０００５】
【特許文献１】特開２００５−２３６６６０号公報
【特許文献２】特開２００３−４６７３４号公報
【特許文献３】特開２００８−１４７９９６号公報
【発明の概要】
【発明が解決しようとする課題】
【０００６】
従来、画像処理装置が画像読取部を用いて原稿から画像を読み取る場合、ユーザーが、例えば、６００ｄｐｉ／６００ｄｐｉ、３００ｄｐｉ／３００ｄｐｉなど、主走査方向／副走査方向に対してそれぞれ特定の読み取り解像度を設定した上で、画像の読取を開始している。
【０００７】
しかしながら、写真原稿、文字原稿、モノクロ原稿、カラー原稿など、画像の読取対象の原稿の種類に応じて、解像度を高く設定してもファイルサイズが小さくなる場合もあれば、解像度を低く設定してもファイルサイズが予想以上に大きくなる場合もある。読み取られた画像の使用用途に応じて、ユーザーが一定のファイルサイズ以下にしたい場合に、読み取られた画像のファイルサイズが大きい時には、再度、画像読取の設定を変更して、画像の読取をし直す必要がある。
【０００８】
前記特許文献１−３に記載の技術では、ユーザーが所望するファイルサイズに変換することが出来るものの、画像の内容に応じて当該画像の品質が劣悪である場合があり、結局、再度、ファイルサイズを指定して画像の読取をやり直す必要があるという課題がある。
【０００９】
そこで、本発明は、前記課題を解決するためになされたものであり、必要な画像の品質で、且つ、所望のファイルサイズの画像を得ることが可能な画像処理装置、画像処理方法を提供することを目的とする。
【課題を解決するための手段】
【００１０】
本発明の一の局面に係る画像処理装置は、条件算出部と、画像生成部と、候補画像選択部と、画像保存部と、を備える。条件算出部は、原稿の画像の読み取りが完了すると、前記読み取られた画像のデータのファイルサイズと、ユーザーにより指定された指定ファイルサイズとに基づいて、当該指定ファイルサイズに対応する画像処理条件を算出する。画像生成部は、前記画像のデータと、前記算出された画像処理条件とに基づいて、前記指定ファイルサイズに近接するファイルサイズを有する複数の候補画像を生成する。候補画像選択部は、前記複数の候補画像を選択可能に表示して、ユーザーから特定の候補画像の選択を受け付ける。画像保存部は、前記選択された候補画像を特定のメモリーに保存する。
【００１１】
本発明の一の局面に係る画像処理方法は、条件算出ステップと、画像生成ステップと、候補画像選択ステップと、画像保存ステップと、を備える。条件算出ステップは、原稿の画像の読み取りが完了すると、前記読み取られた画像のデータのファイルサイズと、ユーザーにより指定された指定ファイルサイズとに基づいて、当該指定ファイルサイズに対応する画像処理条件を算出する。画像生成ステップは、前記画像のデータと、前記算出された画像処理条件とに基づいて、前記指定ファイルサイズに近接するファイルサイズを有する複数の候補画像を生成する。候補画像選択ステップは、前記複数の候補画像を選択可能に表示して、ユーザーから特定の候補画像の選択を受け付ける。画像保存ステップは、前記選択された候補画像を特定のメモリーに保存する。
【発明の効果】
【００１２】
本発明によれば、必要な画像の品質で、且つ、所望のファイルサイズの画像を得ることが可能となる。
【図面の簡単な説明】
【００１３】
【図１】本発明の実施形態に係る画像処理装置の全体構成を示す概念図である。
【図２】本発明の実施形態における画像処理装置の機能ブロック図である。
【図３】本発明の実施形態の実行手順を示すためのフローチャートである。
【図４】本発明の実施形態における画像読取画面の一例を示す図である。
【図５】本発明の実施形態における候補画像の生成の一例を示す図である。
【図６】本発明の実施形態における候補画像表示画面の一例を示す図である。
【発明を実施するための形態】
【００１４】
以下に、添付図面を参照して、本発明の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１５】
以下に、本発明の実施形態の一例として、画像読取部を備えた画像処理装置について説明する。画像処理装置は、例えば、ファクシミリ、コピー、スキャナー、プリンター等の機能を備えた複合機１００（ＭＦＰ：Ｍｕｌｔｉ  Ｆｕｎｃｔｉｏｎ  Ｐｅｒｉｐｈｅｒａｌ）、複写機、プリンター等を採用することが出来る。
【００１６】
画像処理装置１００は、図１に示すように、操作部１０１を介してユーザーからジョブの設定条件を受け付ける。ジョブは、例えば、コピー、ファクシミリ、スキャン、プリント、メモリー等のジョブを含む。画像処理装置１００は、前記ジョブの設定条件を受け付けると、画像読取部１０２、用紙搬送部１０３、画像形成部１０４等の各部を駆動し、当該ジョブを実行する。画像読取部１０２は、原稿台又は自動原稿給送部に載置された原稿の画像を読み取る。又、画像読取部１０２は、ユーザーが操作部１０１を介してファイルサイズ優先キーを選択した場合、原稿の画像に基づいて解像度が異なる複数の候補画像を生成する。画像処理装置１００は、操作部１０１を介して、複数の候補画像を表示して、ユーザーの選択を受け付ける。又、用紙搬送部１０３は、給紙カセット又は手差しトレイから用紙を画像形成部１０４へ搬送する。画像形成部１０４は、搬送された用紙に、原稿の画像に対応するトナー像を転写し、定着ローラで定着して、画像形成を実行する。
【００１７】
画像処理装置１００の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）、ＳＳＤ（Ｓｏｌｉｄ  Ｓｔａｔｅ  Ｄｒｉｖｅ）、各駆動部に対応するドライバーを内部バスによって接続している。
【００１８】
ＣＰＵは、例えば、ＲＡＭを作業領域として利用し、ＲＯＭ、ＨＤＤ、ＳＳＤ等に記憶されているプログラムを実行し、当該実行結果に基づいてドライバーからのデータ、指示、信号、命令等を授受し、前記ジョブの実行に関する各駆動部の動作を制御する。又、駆動部以外の後述する各部（図２に示す）についても、ＣＰＵが、各プログラムを実行することで当該各部を実現する。ＲＯＭ、ＲＡＭ等には、以下に説明する各部を実現するプログラムやデータが記憶されている。
【００１９】
次に、図２、図３を参照しながら、本発明の実施形態に係る構成及び実行手順について説明する。画像処理装置１００が、操作部１０１のタッチパネルを介してジョブの入力受付画面を表示すると、ユーザーが、前記入力受付画面を見ながら、画像読取キーを選択する。すると、画像処理装置１００の表示受付部２０１は、前記画像読取キーの選択を受け付けて、タッチパネル上に、画像読取画面４００を表示する。
【００２０】
前記画像読取画面４００には、図４に示すように、画像読取の旨のメッセージ４０１と、原稿台又は自動原稿給送部に原稿を載置することをユーザーに促す旨のメッセージ４０２と、通常読み取りキー４０３と、ファイルサイズ優先キー４０４と、候補画像表示キー４０５と、スタートキー４０６とが表示される。前記ファイルサイズ優先キー４０４には、具体的なファイルサイズの値を示すファイルサイズキー（例えば、「１ＭＢ」キー４０４ａ、「２ＭＢ」キー４０４ｂ、「５ＭＢ」キー４０４ｃ等）が設けられる。
【００２１】
ユーザーが前記画像読取画面４００を見ながら、原稿を原稿台に載置し、前記ファイルサイズ優先キー４０４と、特定のファイルサイズキー（例えば、「１ＭＢ」キー４０４ａ）と、候補画像表示キー４０５とを指定して、前記スタートキー４０６を選択する。すると、表示受付部２０１は、前記指定されたキーに対応する設定条件を受け付けて（図３：Ｓ１０１）、その旨をサイズ優先判定部２０２に通知する。当該通知を受けたサイズ優先判定部２０２は、原稿の画像の読取において、画像のデータのサイズを優先させるか否かを判定する（図３：Ｓ１０２）。
【００２２】
例えば、サイズ優先判定部２０２は、前記受け付けた設定条件のうち、前記ファイルサイズ優先キー４０４の指定があるか否かを判定する。前記判定の結果、前記ファイルサイズ優先キー４０４の指定がある場合、サイズ優先判定部２０２は、前記原稿の画像のデータのサイズを優先させると判定し（図３：Ｓ１０２ＹＥＳ）、その旨を画像読取制御部２０３に通知し、当該通知を受けた画像読取制御部２０３は、画像読取部１０２を駆動して、原稿の画像を読み取る（図３：Ｓ１０３）。
【００２３】
画像読取制御部２０３が原稿の画像の読取を完了すると、その旨を条件算出部２０４に通知する。当該通知を受けた条件算出部２０４は、前記読み取られた画像のデータのファイルサイズと、ユーザーにより指定された指定ファイルサイズとに基づいて、当該指定ファイルサイズに対応する画像処理条件を算出する（図３：Ｓ１０４）。
【００２４】
例えば、図５に示すように、読み取り完了の画像のデータ（生データ）は、特定のファイルサイズ（例えば、「ＺＺＺｋＢ」）を有する。そこで、条件算出部２０４は、前記受け付けた設定条件のうち、前記ファイルサイズキーの指定があるか否かを判定する。ここで、前記ファイルサイズキーの指定が無い場合は、条件算出部２０４は、予め登録された登録指定ファイルサイズ（例えば、「３ＭＢ」等）を取得する。一方、前記ファイルサイズキーの指定が有る場合（例えば、「１ＭＢ」キー４０４ａが指定されている場合）、条件算出部２０４は、前記指定されたファイルサイズキーに対応するファイルサイズ（「１ＭＢ」）を指定ファイルサイズとして取得する。
【００２５】
次に、条件算出部２０４は、前記画像のデータのファイルサイズと、前記指定ファイルサイズとを比較して、前記画像のデータのファイルサイズが前記指定ファイルサイズより小さい場合は、読み取り時の画像がユーザーの所望の画像に接近しているため、条件算出部２０４は、画像処理によりファイルサイズが大きくなる画像処理条件を算出する。具体的には、条件算出部２０４は、比較的高い解像度「１２００ｄｐｉ」に基づいて、画像のデータの主走査方向／副走査方向の解像度を、１２００ｄｐｉ／１２００ｄｐｉ、６００ｄｐｉ／６００ｄｐｉ、４００ｄｐｉ／４００ｄｐｉ等に段階的に落とす画像処理条件を算出する。一方、前記画像のデータのファイルサイズが前記指定ファイルサイズ以上である場合は、読み取り時の画像がユーザーの所望の画像から離れているため、条件算出部２０４は、画像処理によりファイルサイズが小さくなる画像処理条件を算出する。具体的には、条件算出部２０４は、比較的低い解像度「６００ｄｐｉ」に基づいて、画像のデータの主走査方向／副走査方向の解像度を、６００ｄｐｉ／６００ｄｐｉ、３００ｄｐｉ／３００ｄｐｉ、２００ｄｐｉ／２００ｄｐｉ等に段階的に落とす画像処理条件を算出する。
【００２６】
条件算出部２０４が前記画像処理条件の算出を完了すると、その旨を画像生成部２０５に通知し、当該通知を受けた画像生成部２０５は、前記画像のデータと、前記算出された画像処理条件とに基づいて、前記指定ファイルサイズに近接するファイルサイズを有する複数の候補画像を生成する（図３：Ｓ１０５）。
【００２７】
例えば、前記画像処理条件が、画像のデータの主走査方向／副走査方向の解像度６００ｄｐｉ／６００ｄｐｉ、３００ｄｐｉ／３００ｄｐｉ、２００ｄｐｉ／２００ｄｐｉ等である場合、画像生成部２０５は、図５に示すように、先ず、前記画像処理条件のうち、上限の解像度（「６００ｄｐｉ／６００ｄｐｉ」）を選択し、前記読み取った画像のデータ（生データ）に対して、当該選択した解像度の変換処理と、圧縮処理とを施し、一つ目の候補画像を生成する。前記生成された一つ目の候補画像のデータは、特定のファイルサイズ（例えば、「ＡＡＡｋＢ」）に決定されるため、画像生成部２０５は、前記決定されたファイルサイズ（「ＡＡＡｋＢ」）が、前記指定ファイルサイズ（「１ＭＢ」）以下か否かを判定する。
【００２８】
前記判定の結果、前記決定されたファイルサイズが、前記指定ファイルサイズ以下で無い場合、画像生成部２０５は、前記画像処理条件のうち、次に低い解像度（「３００ｄｐｉ／３００ｄｐｉ」）を選択し、上述と同様に、前記画像のデータ（生データ）に変換処理と圧縮処理とを施し、二つ目の候補画像を生成する。二つ目の候補画像のデータは、特定のファイルサイズ（例えば、「ＢＢＢｋＢ」）に決定されるため、画像生成部２０５は、当該二つ目の候補画像のファイルサイズ（「ＢＢＢｋＢ」）が、前記指定ファイルサイズ（「１ＭＢ」）以下か否かを判定する。このように、生成される候補画像のデータのファイルサイズを前記指定ファイルサイズと比較して、画像のデータ（生データ）の変換処理と圧縮処理とを繰り返すことで、ユーザーが希望するファイルサイズの候補画像を複数生成することが出来る。
【００２９】
又、前記判定の結果、前記決定されたファイルサイズが、前記指定ファイルサイズ以下で有る場合、画像生成部２０５は、前記画像処理条件のうち、更に低い解像度（「２００ｄｐｉ／２００ｄｐｉ」）を選択し、上述と同様に、前記画像のデータに変換処理と圧縮処理とを施し、三つ目の候補画像を生成する。前記生成された三つ目の候補画像のデータは、特定のファイルサイズ（例えば、「ＣＣＣｋＢ」）に決定される。このように、前記指定ファイルサイズに対応するファイルサイズの候補画像が生成されても、更に一段階低いファイルサイズを有する他の候補画像を生成することで、ユーザーの選択肢の幅を広げることが出来る。つまり、ユーザーが、画像品質の劣化が激しくても指定ファイルサイズに収まる候補画像にするか、指定ファイルサイズに収まらなくても、画像品質の劣化が緩やかな候補画像にするかを自由に選択出来るようにすることが出来る。
【００３０】
さて、画像生成部２０５が候補画像の生成を完了すると、その旨を候補画像選択部２０６に通知し、当該通知を受けた候補画像選択部２０６は、前記複数の候補画像を表示させるか否かを判定する（図３：Ｓ１０６）。
【００３１】
例えば、候補画像選択部２０６は、前記受け付けた設定条件のうち、前記候補画像表示キー４０５の指定があるか否かを判定する。前記判定の結果、前記候補画像表示キー４０５の指定がある場合、候補画像選択部２０６は、前記複数の候補画像を表示させると判定し（図３：Ｓ１０６ＹＥＳ）、前記複数の候補画像を選択可能に表示して、ユーザーから特定の候補画像の選択を受け付ける。例えば、候補画像選択部２０６は、タッチパネル上に、候補画像表示画面６００を表示する。
【００３２】
前記候補画像表示画面６００には、図６に示すように、画像の選択を促す旨のメッセージ６０１と、前記生成された複数の候補画像のプレビュー画像６０２と、前記候補画像のファイルサイズを含むステータス情報６０３と、保存キー６０４とが表示される。前記候補画像のプレビュー画像６０２は、ユーザーにより選択可能である。又、前記ステータス情報６０３は、ファイルサイズの他に、画像処理条件に関係する主走査方向／副走査方向の解像度等が表示される。これにより、ユーザーは、指定ファイルサイズに近接した候補画像を確認し、画像の内容に応じて、必要な画像品質を自由に選択することが可能となり、所望の画像（ファイル）を得ることが可能となる。
【００３３】
又、特定の変換処理、圧縮処理によって、ユーザーの想定以上に、画像が劣化する場合がある。そのような場合に、指定ファイルサイズの前後の候補画像をプレビューで表示することで、ユーザーが、再度、ファイルサイズの指定や読み取りをやり直すことをすること無く、候補画像とファイルサイズの最適な組み合わせを選択することが可能となる。
【００３４】
ここで、ユーザーが、前記候補画像表示画面６００を見ながら、ファイルサイズが最も小さい候補画像のプレビュー６０２ａを選択し、保存キー６０４を選択すると、候補画像選択部２０６は、前記特定の候補画像のプレビュー６０２ａの選択を受け付けて（図３：Ｓ１０７）、その旨を画像保存部２０７に通知する。当該通知を受けた画像保存部２０７は、前記選択された候補画像を特定のメモリーに保存する（図３：Ｓ１０８）。
【００３５】
ところで、Ｓ１０６において、ユーザーが前記候補画像表示キー４０５を指定していない場合は、下記のようになる。前記候補画像表示キー４０５の指定が無い場合、候補画像選択部２０６は、前記複数の候補画像を表示させないと判定し（図３：Ｓ１０６ＮＯ）、前記複数の候補画像のうち、前記指定ファイルサイズに最も近いファイルサイズを有する最適候補画像を選択する（図３：Ｓ１０９）。
【００３６】
例えば、候補画像選択部２０６は、前記候補画像のファイルサイズと、前記指定ファイルサイズとの差分を各候補画像毎に算出し、当該差分のうち、最も小さい差分の候補画像を最適候補画像として選択する。又、候補画像選択部２０６は、前記候補画像のうち、前記指定ファイルサイズ以下のファイルサイズを有する候補画像を抽出し、当該抽出した候補画像のうち、前記指定ファイルサイズに最も近接するファイルサイズの候補画像を最適候補画像として選択しても良い。このように自動的に最適候補画像を選択することで、ユーザーが候補画像を選択する手間を省くことが出来る。
【００３７】
候補画像選択部２０６が前記最適候補画像を選択すると（図３：Ｓ１０９）、上述と同様に、画像保存部２０７は、前記選択された最適候補画像を前記メモリーに保存する（図３：Ｓ１０８）。
【００３８】
ところで、Ｓ１０２において、ユーザーが前記ファイルサイズ優先キー４０４を指定していない場合は、下記のようになる。前記ファイルサイズ優先キー４０４の指定が無い場合、サイズ優先判定部２０２は、前記原稿の画像のデータのサイズを優先させないと判定し（図３：Ｓ１０２ＮＯ）、その旨を画像読取制御部２０３に通知し、当該通知を受けた画像読取制御部２０３は、画像読取部１０２を駆動して、原稿の画像を読み取る（図３：Ｓ１１０）。そして、画像読取制御部２０３が画像の読み取りを完了すると、その旨を画像生成部２０５に通知し、当該通知を受けた画像生成部２０５は、予め登録された登録画像処理条件に基づいて、前記画像のデータに変換処理、圧縮処理を施し、一の画像を生成する（図３：Ｓ１１０）。前記登録画像処理条件は、通常の条件である。そして、画像生成部２０５が画像の生成を完了すると、上述と同様に、画像保存部２０７は、前記生成された画像を前記メモリーに保存する（図３：Ｓ１０８）。これにより、ファイルサイズの優先をしないユーザーは、通常の条件での画像読取、画像保存となるため、このようなユーザーに対しても利便性の低下を防止することが出来る。
【００３９】
尚、特定の画像が前記メモリーに保存されれば、表示受付部２０１が、タッチパネル上に画面を表示し、ユーザーの操作により、前記メモリーの画像を、再度、前記画面に表示したり、特定のジョブの画像として用いたりする。これにより、ユーザーが必要な画像の品質で、且つ、所望のファイルサイズの画像を得ることが可能となる。
【００４０】
ところで、本発明の実施形態では、画像生成部２０５が、三つの候補画像を生成したが、候補画像の個数を限定する必要は無い。例えば、前記画像の内容と、前記画像処理条件によって、生成される候補画像が少なくなる場合も想定される。一つ目に生成した候補画像のファイルサイズが前記指定ファイルサイズ以下で有る場合、画像生成部２０５は、更に低い解像度により二つ目の候補画像を生成して、処理を終了する可能性もある。この場合、例えば、条件算出部２０４が、上限の解像度よりも更に高い解像度を一つ算出し、画像生成部２０５が、前記算出した解像度により三つ目の候補画像を生成して、候補画像の個数を特定の数になるように調整しても良い。
【００４１】
逆に、前記画像の内容と、前記画像処理条件によって、生成される候補画像が多くなる場合も想定される。二つ目に生成した候補画像のファイルサイズが前記指定ファイルサイズ以下で無い場合、この後の処理で、少なくとも、四つ目の候補画像が生成される。この場合、例えば、画像生成部２０５は、ファイルサイズが前記指定ファイルサイズ以下で有ると判定された候補画像と、当該候補画像の前後で生成された複数の候補画像とを選択することで、候補画像の個数が特定の数（例えば、３つ）に調整しても良い。
【００４２】
又、本発明の実施形態では、画像処理条件は、画像のデータの主走査方向／副走査方向の解像度を、共に、段階的に落とす条件としたが、他の条件でも良い。例えば、画像のデータの主走査方向／副走査方向の解像度を、独立して、一方のみを段階的に落とす条件としても良い。又、画像の内容によって、画像処理のうち、画像内のデータを間引きする処理を併用しても良い。
【００４３】
又、本発明の実施形態では、画像処理条件は、画像のデータの主走査方向／副走査方向の解像度の条件としたが、他の条件を追加しても良い。例えば、前記画像のデータのファイルサイズが前記指定ファイルサイズより小さい場合は、条件算出部２０４は、前記画像処理条件に、画像のファイル形式として、可逆圧縮方式に基づくファイル形式（例えば、ＧＩＦ、ＰＮＧ、ＴＩＦＦ等）を設定する。前記画像のデータのファイルサイズが前記指定ファイルサイズ以上である場合は、条件算出部２０４は、前記画像処理条件に、画像のファイル形式として、不可逆圧縮方式に基づくファイル形式（例えば、ＪＰＥＧ等）を設定する。このように、前記画像処理条件に、画像の変換処理、圧縮処理に関係するファイル形式を追加しても良い。
【００４４】
又、本発明の実施形態では、条件算出部２０４は、前記画像のデータのファイルサイズと、前記指定ファイルサイズとに基づいて画像処理条件を算出したが、更に、前記画像の色（カラーか、モノクロか）や種類（文字のみか、写真を含むか）等も考慮して、特定の画像処理条件を算出するよう構成しても良い。
【００４５】
又、本発明の実施形態では、条件算出部２０４が、画像処理条件を自動的に算出するように構成したが、他の構成でも良い。例えば、条件算出部２０４が、複数の解像度、複数のファイル形式等を選択可能に表示し、ユーザーにより選択された特定の解像度、特定のファイル形式等に基づいて画像処理条件を算出するよう構成しても良い。
【００４６】
又、本発明の実施形態では、画像処理装置１００が各部を備えるよう構成したが、当該各部を実現するプログラムを記憶媒体に記憶させ、当該記憶媒体を提供するよう構成しても構わない。当該構成では、前記プログラムを、装置に読み出させ、装置が前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００４７】
以上のように、本発明に係る画像処理装置、画像処理方法は、複写機、スキャナー、複合機等に有用であり、必要な画像の品質で、且つ、所望のファイルサイズの画像を得ることが可能な画像処理装置、画像処理方法として有効である。
【符号の説明】
【００４８】
１００  画像処理装置
２０１  表示受付部
２０２  サイズ優先判定部
２０３  画像読取制御部
２０４  条件算出部
２０５  画像生成部
２０６  候補画像選択部
２０７  画像保存部
【図１】
2017046132.tif 000003
【図２】
2017046132.tif 000004
【図３】
2017046132.tif 000005
【図４】
2017046132.tif 000006
【図５】
2017046132.tif 000007
【図６】
2017046132.tif 000008